(57)【要約】【課題】使用者が読取装置を使用する際に排紙部と給紙部を勘違いし、原稿を排紙部に載置してしまったことで読取動作が適正に行われないことに戸惑いを与えてしまうという問題がある。【解決手段】搬送読取指示が指示された場合（Ｓ１０：Ｙ）、Ｓ１１にて排紙センサ１４３がオンであるか（排紙トレイ１２３上に原稿が載置されているか）否かが判断され、排紙センサ１４３がオンである場合（排紙トレイ１２３上に原稿が載置されている場合）（Ｓ１１：Ｙ）、使用者が給紙トレイ１２１と間違えて排紙トレイ１２３に原稿を載置したと判断する。そして、Ｓ１２にて表示部２０１にて原稿の置き間違いを示す旨を表示する。【選択図】        図５
2010103597.tif 000002
【特許請求の範囲】
【請求項１】
原稿を給紙部から排紙部まで搬送する搬送部と、
前記搬送部にて搬送される前記原稿を読み取る読取部と、
前記排紙部に前記原稿があるか否かを検知する検知部と、
前記搬送部によって前記原稿が前記排紙部へと搬送されていないことを条件に前記検知部が前記原稿を検知したことに応じて、前記原稿の載置場所が違っている旨を報知する報知部と、
を備えることを特徴とする読取装置。
【請求項２】
請求項１に記載の読取装置であって、
前記読取部による読み取りを開始するための指示を入力する入力部を備え、
前記入力部による入力が行われた際、前記報知部による前記報知を実行することを特徴とする読取装置。
【請求項３】
請求項１又は請求項２に記載の読取装置であって、
前記搬送部によって搬送される前記原稿の数をカウントするカウント部を備えることを特徴とする読取装置。
【請求項４】
請求項３に記載の読取装置であって、
前記検知部が前記原稿を検知した状態で前記搬送部にて前記原稿が搬送される場合、前記カウント部は既に搬送された前記原稿の数を起点に前記原稿の数をカウントすることを特徴とする読取装置。
【請求項５】
請求項３又は請求項４に記載の読取装置であって、
前記検知部が前記原稿を検知した状態から検知しない状態に変化することに応じて、前記カウント部にてカウントした原稿の数をリセットすることを特徴とする読取装置。
【請求項６】
請求項３から請求項５のいずれか一つに記載の読取装置であって、
前記排紙部は前記原稿が載置可能な限界枚数が定められており、
前記報知部は、前記カウント部によってカウントされた前記原稿の数が前記限界枚数に達したことに応じて、前記原稿の除去が必要である旨を報知することを特徴とする読取装置。
【請求項７】
請求項３から請求項６のいずれか一つに記載の読取装置であって、
前記排紙部は前記原稿が載置可能な限界枚数が定められており、
前記報知部は、前記カウント部によってカウントされた前記原稿の数が前記限界枚数に達していないのに前記搬送部による搬送が終了した場合、規定時間経過後に前記原稿の除去が必要である旨を報知することを特徴とする読取装置。
【請求項８】
請求項１から請求項７のいずれか一つに記載の読取装置であって、
前記読取装置の電源がオンした際に、前記検知部にて前記原稿を検知した場合、前記報知部にて前記原稿の除去が必要である旨を報知することを特徴とする読取装置。
【発明の詳細な説明】
【技術分野】
【０００１】
本発明は、原稿上の画像を読み取る読取装置に関する。
【背景技術】
【０００２】
従来より、原稿が原稿トレイから給紙され原稿搬送路を通って排紙部に搬送される間に、原稿移動走査部によって原稿を読み取る画像読取装置が提案されている。
【０００３】
例えば下記特許文献には、原稿トレイから給紙された原稿がＵターン状の原稿搬送路を通して原稿トレイの上部に排紙される画像読取装置が開示されている。
【０００４】
また、同文献の従来の技術には、排紙トレイが本体の側部に備えられ、原稿トレイから給紙された原稿が直線状の原稿搬送路を通って排紙トレイに排紙される画像読取装置や、原稿トレイが排紙部の上部に備えられ、原稿がＵターン状の原稿搬送路を通って原稿トレイの下部に排紙される画像読取装置が開示されている。
【特許文献１】特開平６−２７５４８号公報
【発明の開示】
【発明が解決しようとする課題】
【０００５】
上記した技術のように、画像読取装置の給紙部（原稿トレイ）と排紙部は様々な配置形態が提案されている。
【０００６】
画像読取装置を使用する使用者は原稿の読取処理を実行する際に、給紙部及び排紙部の配置形態を予め理解したうえで使用しなければならないが、上記したように様々な配置形態があるため、使用しようとする画像読取装置の配置形態がどのようなものか直感的にわからない場合がある。
【０００７】
その為、使用者が読取装置（画像読取装置）を使用する際に排紙部と給紙部を勘違いし、原稿を排紙部に載置してしまったことで読取動作が適正に行われないことに戸惑いを与えてしまうという問題がある。
【０００８】
本発明は、上記問題を解決することを目的とする。
【課題を解決するための手段】
【０００９】
この目的を達成するために、請求項１に記載の読取装置は、原稿を給紙部から排紙部まで搬送する搬送部と、前記搬送部にて搬送される前記原稿を読み取る読取部と、前記排紙部に前記原稿があるか否かを検知する検知部と、前記搬送部によって前記原稿が前記排紙部へと搬送されていないことを条件に前記検知部が前記原稿を検知したことに応じて、前記原稿の載置場所が違っている旨を報知する報知部と、を備えることを特徴とする。
【００１０】
また、請求項２に記載の読取装置は、請求項１に記載の読取装置であって、前記読取部による読み取りを開始するための指示を入力する入力部を備え、前記入力部による入力が行われた際、前記報知部による前記報知を実行することを特徴とする。
【００１１】
また、請求項３に記載の読取装置は、請求項１又は請求項２に記載の読取装置であって、前記搬送部によって搬送される前記原稿の数をカウントするカウント部を備えることを特徴とする。
【００１２】
また、請求項４に記載の読取装置は、請求項３に記載の読取装置であって、前記検知部が前記原稿を検知した状態で前記搬送部にて前記原稿が搬送される場合、前記カウント部は既に搬送された前記原稿の数を起点に前記原稿の数をカウントすることを特徴とする。
【００１３】
また、請求項５に記載の読取装置は、請求項３又は請求項４に記載の読取装置であって、前記検知部が前記原稿を検知した状態から検知しない状態に変化することに応じて、前記カウント部にてカウントした原稿の数をリセットすることを特徴とする。
【００１４】
また、請求項６に記載の読取装置は、請求項３から請求項５のいずれか一つに記載の読取装置であって、前記排紙部は前記原稿が載置可能な限界枚数が定められており、前記報知部は、前記カウント部によってカウントされた前記原稿の数が前記限界枚数に達したことに応じて、前記原稿の除去が必要である旨を報知することを特徴とする。
【００１５】
また、請求項７に記載の読取装置は、請求項３から請求項６のいずれか一つに記載の読取装置であって、前記排紙部は前記原稿が載置可能な限界枚数が定められており、前記報知部は、前記カウント部によってカウントされた前記原稿の数が前記限界枚数に達していないのに前記搬送部による搬送が終了した場合、規定時間経過後に前記原稿の除去が必要である旨を報知することを特徴とする。
【００１６】
また、請求項８に記載の読取装置は、請求項１から請求項７のいずれか一つに記載の読取装置であって、前記読取装置の電源がオンした際に、前記検知部にて前記原稿を検知した場合、前記報知部にて前記原稿の除去が必要である旨を報知することを特徴とする。
【発明の効果】
【００１７】
＜請求項１の発明＞
搬送部によって原稿が排紙部へと搬送されずに検知部が原稿を検知する場合、原稿は使用者が勘違いをして排紙部に載置した可能性が高い。
【００１８】
よって、上記場合に報知部により報知が実行されることで、使用者が読取装置を使用する際に排紙部と給紙部を勘違いし、原稿を排紙部に載置してしまったことで読取動作が適正に行われないことに戸惑いを与えてしまうことを回避することが可能である。
【００１９】
＜請求項２の発明＞
使用者による読取処理が実行されるタイミングでのみ、載置場所が間違っている旨が報知されるため、使用者に適切な状況で適切な情報を報知が可能である。
【００２０】
＜請求項３の発明＞
排紙部に載置された原稿の数をカウント可能である。
【００２１】
＜請求項４の発明＞
原稿が検知部によって検知されている間は、カウント部にて原稿の数のカウント続けられるため、排紙部に載置された原稿の数を正確にカウント可能である。
【００２２】
＜請求項５の発明＞
排紙部から原稿が取られたことでカウント部によるカウントがリセットされるため、排紙部に搬送される原稿の数を常時正確にカウント可能である。
【００２３】
＜請求項６の発明＞
排紙部に排紙された原稿の数が限界に達した場合、排紙が出来ないためその後の読取処理が実行できない。よって、排紙部に排紙された原稿の数が限界に達した際に使用者に原
稿の除去が必要である旨を報知することで、使用者は読取処理を円滑に実行可能である。
【００２４】
＜請求項７の発明＞
排紙部に排紙された原稿の数が限界に達しないのに搬送部による原稿の搬送が終了した場合、排紙部にはまだ原稿を載置する余裕があるため載置されている原稿を取り除かなくても読取処理が可能である。よって、すぐに原稿の除去が必要である旨を報知する必要はないので、規定時間後に原稿の除去が必要である旨を報知する。これにより、使用者が排紙部の原稿を取り除き忘れたことを報知可能である。
【００２５】
＜請求項８の発明＞
読取装置を使用しない期間から使用する期間に移る際に読取装置の電源はオンされる。この時に検知部にて原稿が検知されることは、読取装置の電源がオフされる前に当該読取装置を使用した使用者が原稿を排紙部から取り忘れた可能性が高い。よって、読取装置の電源がオンするタイミングにて使用者が取り忘れている旨を報知することで、使用者に適切な情報を報知可能である。
【発明を実施するための最良の形態】
【００２６】
本実施形態は、原稿を搬送しながら原稿に記載された画像を読み取る搬送読取機能（ＡＤＦ読取機能）を備えた読取装置（スキャナ）に本発明を適用したものであり、以下、本発明の実施形態を図面と共に説明する。
【００２７】
［第一実施形態］
以下に、第一実施形態を説明する。
【００２８】
＜読取装置の概略構成（図１及び図２参照）＞
図１は本実施形態に係る読取装置１００を上面側から見た外観斜視図であり、図２は図１のＡ−Ａ断面（特に、搬送機構（オートドキュメントフィーダ（ＡＤＦ））１２０部分の断面）を示す図である。
【００２９】
本実施形態に係る読取装置１００は、図１に示すように、上面前方側に読取装置１００を操作又は設定するための操作パネル２００が設けられ、この操作パネル２００より後方側に搬送読取機能や静止読取機能を実行するための本体部１０１が設けられている。
【００３０】
尚、操作パネル２００には、設定内容やメッセージ（原稿の取り忘れ、原稿の置き間違い）等を表示する本発明の報知部の一例としての表示部２０１、及び各種機能（通常コピー、Ｎｉｎ１コピー、ＰＣスキャン等）やオプション設定、コピーやスキャンの開始等を使用者が選択、指示するための本発明の入力部の一例としてのキーボタン２０２等が設けられている。
【００３１】
そして、読取装置１００の本体部１０１には、図２に示すように、静止読取機能用の画像読取窓（以下、静止読取窓という。）１０２、及び搬送読取機能用の画像読取窓（以下、搬送読取窓という。）１０３が設けられており、両読取窓１０２、１０３は、ガラスやアクリル等の透明なプラテン１０２Ａ、１０３Ａにて閉塞されている。
【００３２】
また、本体部１０１の上面側には、両読取窓１０２、１０３を覆う原稿カバー１０４（図１参照）が揺動可能に組み付けられており、静止読取窓１０２にて原稿読取を行う場合には、この原稿カバー１０４を手動操作にて上方側に開いて原稿を静止読取窓１０２に載置する。
【００３３】
一方、本体部１０１内には、原稿に照射されて反射した光を受光し、その受光した光に
基づいて電気信号を発する本発明の読取部の一例としての画像撮像素子１０５が配設されており、読取装置１００は、画像撮像素子１０５を介して原稿に記載された文字等の画像を電気信号に変換して画像を読み取っていく。
【００３４】
因みに、本実施形態では、画像撮像素子１０５として、ＣＩＳ（Ｃｏｎｔａｃｔ  Ｉｍａｇｅ  Ｓｅｎｓｏｒ）を用いており、このＣＩＳ（画像撮像素子１０５）の長手方向は、両読取窓１０２、１０３の直下において、その移動方向と直交する方向（図２の紙面と垂直な方向）に延びている。
【００３５】
そして、画像撮像素子１０５は、本体部１０１の長手方向（図２の左右方向）に移動可能に本体部１０１に組み付けられており、搬送読取機能作動時には、画像撮像素子１０５は搬送読取窓１０３の直下に停止配置された状態で画像を読み取り、一方、静止原稿読取機能作動時には、画像撮像素子１０５は静止読取窓１０２の直下で移動しながら画像を読み込んでいく。
【００３６】
また、原稿カバー１０４のうち搬送読取窓１０３に対応する部位及びその近傍には、読み取り用の原稿を搬送読取窓１０３に搬送する本発明の搬送部の一例としての搬送機構１２０が設けられている。
【００３７】
＜搬送機構の構成（図２及び図３参照）＞
図３は排紙ローラ１３７及び突起部１４１周辺の拡大図である。
【００３８】
図２に示すように、給紙トレイ１２１は、読み取り対象となる原稿が載置されるものであり、この給紙トレイ１２１の上方側には、画像読取が完了した原稿が載置される排紙トレイ１２３が設けられている。因みに、複数枚の原稿は、その厚み方向が上下方向に積層された状態で給紙トレイ１２１又は排紙トレイ１２３に載置される。
【００３９】
また、給紙トレイ１２１のうち機構本体部１２０Ａ側には、給紙トレイ１２１に載置された複数枚の原稿のうち最下部に位置する原稿から順に搬送読取窓１０３に原稿を搬送するフィーダ機構１２５が設けられている。
【００４０】
このフィーダ機構１２５は、給紙トレイ１２１から搬送されてきた複数枚の原稿を分離して１枚ずつ送出する分離部１２７、及び分離部１２７より搬送方向上流側に設けられ、給紙トレイ１２１に載置されている原稿を引き込んで分離部１２７に送出する吸入部１２９等を有して構成されている。
【００４１】
そして、分離部１２７は、原稿の下面側に接触して回転することにより原稿に搬送力を付与する分離ローラ１２７Ａ、分離ローラ１２７Ａと反対側から原稿に接触して原稿に搬送抵抗を付与する変位可能な分離パッド１２７Ｂ、及び分離パッド１２７Ｂを分離ローラ１２７Ａ側に押し付ける弾性力を発生するバネ１２７Ｃ等を有して構成されている。
【００４２】
また、吸入部１２９は、原稿に接触して回転することにより原稿に搬送力を付与する吸引ローラ１２９Ａ、原稿を吸引ローラ１２９Ａに押し付ける変位可能なニップピース１２９Ｂ、及びニップピース１２９Ｂを吸入ローラ１２５Ａ側に押し付ける弾性力を発生するバネ１２９Ｃ等を有して構成されている。
【００４３】
このため、給紙トレイ１２１から引き込まれた複数枚の原稿は、吸入部１２９にて数枚程度に分離されて分離部１２７に送出された後、その分離された数枚の原稿のうち分離ローラ１２７Ａと接触する原稿が分離部１２７から搬出される。
【００４４】
このとき、分離ローラ１２７Ａと接触する原稿より分離パッド１２７Ｂ側に位置する原稿は、分離パッド１２７Ｂから搬送抵抗を受けて搬出されることなく止まるので、給紙トレイ１２１に載置された複数枚の原稿は、最下部に載置された原稿から１枚ずつ搬送読取窓１０３に搬送される。
【００４５】
また、図２に示すように、分離部１２７より搬送方向下流側に設けられた第１搬送ローラ１３５は、その下端側で原稿に接触して回転することにより、分離ローラ１２７Ａにより搬送されてきた原稿を搬送読取窓１０３に搬送し、一方、その上端で原稿に接触して回転することにより、搬送読取窓１０３を通過した原稿を排紙ローラ１３７側に搬送する。
【００４６】
尚、ピンチローラ１３５Ａ、１３５Ｂは原稿を第１搬送ローラ１３５に押し付ける加圧ローラであり、ピンチローラ１３７Ａは原稿を排紙ローラ１３７に押し付ける加圧ローラである。これらのピンチローラ１３５Ａ、１３５Ｂ、１３７Ａは、搬送される原稿に接触して従動回転する。
【００４７】
また、搬送読取窓１０３より搬送方向下流側であって、プラテン１０３Ａからずれた位置には、搬送読取窓１０３を通過した原稿を排紙トレイ１２３側に搬送する第２搬送ローラ１３９が設けられており、この第２搬送ローラ１３９から搬送力が付与された原稿は、案内部材（図示せず）により、その搬送方向が上方側に略１８０°転向させられた後、排紙トレイ１２３側に排紙される。
【００４８】
尚、ピンチローラ１３９Ａは、原稿を第２搬送ローラ１３９に押し付ける加圧ローラであり、このピンチローラ１３９Ａは、搬送される原稿に接触して従動回転する。
【００４９】
また、排紙トレイ１２３の排紙ローラ１３７側には、排紙ローラ１３７から排紙された原稿を、排紙トレイ１２３に既に載置されている原稿と排紙トレイ１２３との間に潜り込ませるための突起部１４１が設けられている。
【００５０】
この突起部１４１は、図３に示すように、排紙トレイ１２３に載置されている原稿のうち排紙ローラ１３７側を排紙トレイ１２３から浮き上がらせることにより、突起部１４１により浮き上がった部分（図３のＡ部）に排紙ローラ１３７から排紙される原稿を衝突させるものである。
【００５１】
すなわち、排紙ローラ１３７から排紙された原稿は、排紙トレイ１２３に載置されている原稿のうち、最下位に位置する原稿の下面側の突起部１４１より排紙ローラ１３７側の部位（図３のＡ部）に鋭角的に衝突した後、その搬送方向が水平部１４１Ａ側に転向するため、排紙ローラ１３７から排紙された原稿は、排紙トレイ１２３に既に載置されている原稿と排紙トレイ１２３との間に潜り込むように排紙トレイ１２３に載置されていく。
【００５２】
さらに、図２に示すように排紙トレイ１２３上には、本発明の検知部の一例としての排紙センサ１４３が設けられている。この排紙センサ１４３は、図３に示すように、原稿が排紙トレイ１２３に載置されると原稿の重さで下方向に落ち込み、周知の光学センサ（図示せず）の光路を遮断することで排紙トレイ１２３上の原稿の有無を検知する。
【００５３】
尚、排紙センサ１４３は、原稿１枚分の重さであっても下方向に落ち込む構成であるため、排紙トレイ１２３上の原稿の有無を１枚目から検出可能である。
【００５４】
また、図２に示すように給紙トレイ１２１上にも、給紙センサ１４５が設けられている。給紙センサ１４５は排紙センサ１４３と同様に原稿の重さにより下方向に落ち込み、周知の光学センサ（図示せず）の光路を遮断することで給紙トレイ１２１上の原稿の有無を
検知する。
【００５５】
さらに、図２に示すように排紙ローラ１３７から原稿の搬送方向上流側には本発明のカウント部の一例としてのカウントセンサ１４７が設けられている。カウントセンサ１４７は原稿が通紙されることで軸を中心に揺動する部材であり、揺動される度に原稿の通紙枚数をカウントする周知のセンサにて構成されている。
【００５６】
尚、カウントセンサ１４７はこのような形態に限定されず、読取装置１００の内部構成にて電気的に構成されても良い。
【００５７】
＜読取装置の内部構成（図４参照）＞
図４は読取装置１００の内部構成をブロック図として示した図である。
【００５８】
読取装置１００は、図４に示すような内部構成をしており、制御部３１０、操作部２００（表示部２０１及びキーボタン２０２）、画像撮像素子１０５、搬送機構１２０、排紙センサ１４３、給紙センサ１４５、カウントセンサ１４７によって構成されている。制御部３１０は、ＣＰＵ３０１、ＲＯＭ３０２、ＲＡＭ３０３によって構成されており、その他の各部は制御部３１０によって制御される。
【００５９】
さらに、読取装置１００は、周知のインターフェイスによって印刷部３０５、パーソナルコンピュータ（ＰＣ）３０７と接続されることで、コピーやＰＣスキャン等の各種処理が実行可能である。
【００６０】
＜搬送読取処理の処理方法（図５参照）＞
図５は第一実施形態に係る搬送読取処理を示したフローチャートである。
【００６１】
図５に示す搬送読取処理は、読取装置１００の電源がオンされた後において短い時間間隔で定期的に実施される処理である。当該処理が開始されると、制御部３１０にて、まずＳ１０により使用者によるキーボタン２０３の選択から搬送読取が指示（搬送読取機能のスタートが指示）されたか否かが判断される。ここで、指示されていない場合は（Ｓ１０：Ｎ）、当該搬送読取処理が終了する。
【００６２】
一方、搬送読取が指示された場合（搬送読取機能のスタートが指示された場合）は（Ｓ１０：Ｙ）、Ｓ１１にて排紙センサ１４３がオンであるか（排紙トレイ１２３上に原稿が載置されているか）否かが判断される。ここで、排紙センサ１４３がオンである場合（排紙トレイ１２３上に原稿が載置されている場合）（Ｓ１１：Ｙ）、使用者が給紙トレイ１２１と間違えて排紙トレイ１２３に原稿を載置したと判断する。
【００６３】
そして、Ｓ１２にて表示部２０１にて原稿の置き間違いを示す旨を表示し、排紙センサ１４３がオフするまで（排紙トレイ１２３上の原稿が取り除かれるまで）Ｓ１１とＳ１２の処理が繰り返される。尚この時、合わせて表示部２０１に原稿を給紙トレイ１２１に載置し直す様に促す旨を表示しても良い。
【００６４】
一方、Ｓ１１にて排紙センサ１４３がオフであると判断された場合（排紙トレイ１２３上に原稿が載置されていない場合）（Ｓ１１：Ｎ）、Ｓ１３にて給紙センサ１４５がオンであるか否か（給紙トレイ１２１上に原稿が載置されているか否か）が判断され、給紙センサ１４５がオンになるまで（給紙トレイ１２１に原稿が載置されるまで）処理が待機する（Ｓ１３：Ｎ）。尚本実施形態では、上記待機をいつまでも続ける構成となっているが、例えば一定時間経過したら待機状態が解除され、当該搬送読取処理を終了してもよい。
【００６５】
ここで、給紙センサ１４５がオンになると（給紙トレイ１２１に原稿が載置されると）（Ｓ１３：Ｙ）、Ｓ１４にて排紙トレイ１２３上に原稿が存在しないことを設定し（排紙原稿枚数Ｎ＝０）、Ｓ１５にて給紙トレイ１２１の最下部に載置されている１枚の原稿が、搬送機構１２０にて搬送され画像撮像素子１０５にて読み取られる。
【００６６】
その後、Ｓ１６にてカウントセンサ１４７によって排紙される原稿がカウントされると排紙原稿枚数Ｎに１の値を加算し（Ｎ＝Ｎ＋１）、排紙トレイ１２３に載置される排紙原稿枚数Ｎが更新される。
【００６７】
そして、Ｓ１７にて排紙トレイ１２３上の排紙原稿枚数Ｎが３５より少ないか否かが判断される。尚、この３５という数字は排紙トレイ１２３に載置可能な限界枚数を表している。
【００６８】
ここで排紙原稿枚数Ｎが３５より少なくない（排紙原稿枚数Ｎが３５枚である）と判断されると（Ｓ１７：Ｎ）、Ｓ１８にて表示部２０１に排紙トレイ１２３の排紙原稿が限界である旨を表示し、その後、Ｓ１９にて排紙センサ１４３がオフになるまで（排紙トレイ１２３の原稿が取り除かれるまで）Ｓ１８とＳ１９の処理を繰り返す。
【００６９】
この様に構成することで、排紙トレイ１２３の原稿が取り除かれるまで表示部２０１の表示が切り替わらないため、使用者に排紙トレイ１２３から原稿を取り除く様に促すことが可能である。
【００７０】
その後、Ｓ１９にて排紙センサ１４３がオフであると判断されると（排紙トレイ１２３の原稿が取り除かれると）（Ｓ１９：Ｎ）、Ｓ２０にて給紙センサ１４５がオンであるか否か（給紙トレイ１２１に原稿が載置されているか否か）が判断される。
【００７１】
ここで給紙センサ１４５がオンである（給紙トレイ１２１に原稿が載置されている）場合（Ｓ２０：Ｙ）、処理がＳ１４に戻り、廃止原稿枚数Ｎの値がリセットされ、再度原稿の読み取りが開始される。
【００７２】
また、給紙センサ１４５がオフである（給紙トレイ１２１に原稿が載置されていない）場合（Ｓ２０：Ｎ）、原稿の読み取りが終了したと判断され、当該搬送読取処理が終了する。
【００７３】
Ｓ１７にて排紙トレイ１２３上の原稿が載置枚数の限界を超えた場合、処理がＳ１５に戻らないため、使用者には搬送読取処理が終了したように認識される可能性がある。しかしながら、Ｓ１８にてすぐに排紙トレイ１２３の排紙原稿が限界である旨を表示部２０１に表示することで、使用者は読み取りが中断した理由を認識できる。
【００７４】
また、Ｓ２０にて給紙トレイ１２１原稿が載置されていると判断された場合（Ｓ２０：Ｙ）、読み取るべき原稿がまだ給紙トレイ１２１に存在する場合であるため、原稿が取り除かれたことに応じて原稿の読取が再開されることで、使用者の希望に沿った動作が可能である。
【００７５】
一方Ｓ１７にて、排紙原稿枚数Ｎが３５より少ないと判断されると（Ｓ１７：Ｙ）、Ｓ２１にて給紙センサ１４５がオンであるか（給紙トレイ１２１に原稿が載置されているか）否かが判断される。
【００７６】
ここで、給紙センサ１４５がオンである（給紙トレイ１２１に原稿が載置されている）場合（Ｓ２１：Ｙ）、読み取るべき原稿がまだ存在していると判断され、処理がＳ１５に
戻り新たに給紙トレイ１２１の最下部に載置されている原稿が原稿搬送機構１２０にて搬送され画像撮像素子１０５にて読み取られる。
【００７７】
一方、給紙センサ１４５がオフである（給紙トレイ１２１に原稿が載置されていない）場合（Ｓ２１：Ｎ）、読み取るべき原稿の読み取りが終了したと判断される。
【００７８】
その後、Ｓ２２にて規定時間処理が待機し、Ｓ２３にて排紙センサ１４３がオンしているか否か（排紙トレイ１２３に原稿が載置されているか否か）が判断される。ここで、排紙センサ１４３がオンである（排紙トレイ１２３に原稿が載置されている）場合（Ｓ２３：Ｙ）、Ｓ２４にてに表示部２０１に排紙トレイ１２３の排紙原稿を取り除く旨を表示する。
【００７９】
尚、Ｓ２４による処理が実行される前にＳ２２にて規定時間処理が待機している。この場合はＳ１８の表示と異なり、まだ排紙部１２３に原稿が載置できる余裕がある状態である。よって、Ｓ１８のように排紙トレイ１２３の原稿載置の限界枚数に達したらすぐに表示部２０１による表示をせず、Ｓ２２にて待機処理をした後にＳ２４にて表示を実行している。
【００８０】
Ｓ２４の処理が終了すると、Ｓ２５にてＳ１０と同様に新たに搬送読取が指示されたか否かが判断される。この時、当該指示がない場合（Ｓ２５：Ｎ）、Ｓ２３にて排紙センサ１４３がオフになるまで（排紙トレイ１２３の原稿が取り除かれるまで）Ｓ２３からＳ２５の処理を繰り返す。
【００８１】
その後、排紙センサ１４３がオフすると（排紙トレイ１２３の原稿が取り除かれると）（Ｓ２３：Ｎ）、当該搬送読取処理が終了する。
【００８２】
尚、Ｓ２５にて新たに搬送読取が指示されると、Ｓ２６にてＳ１３と同様に給紙センサ１４５がオンであるか否か（給紙トレイ１２１に原稿が載置されているか否か）が判断され、給紙センサ１４５がオンになるまで（給紙トレイ１２１に原稿が載置されるまで）処理が待機する（Ｓ２６：Ｎ）。
【００８３】
その後、給紙センサ１４５がオンになると（給紙トレイ１２１に原稿が載置されると）（Ｓ２６：Ｙ）、Ｓ１５にて新たに搬送読取処理が実行される。
【００８４】
Ｓ２６からＳ１５に処理が移る場合、Ｓ１４による排紙原稿枚数Ｎのリセットが行われないため、既に排紙トレイ１２３に排紙されている原稿の数に続いてカウントが行われる。
【００８５】
尚、本実施形態ではＳ２５からＳ２６の処理をＳ２４の処理後に実行される処理としているが、Ｓ２１にて給紙センサ１４５がオフである（給紙トレイ１２１に原稿が載置されていない）ことで読み取るべき原稿の読み取りが終了したと判断された後（Ｓ２１：Ｎ）に、いつでも行われる処理であってよい。
【００８６】
また、本実施形態ではＳ１３及びＳ２０の処理の後にＳ１４による排紙原稿枚数Ｎのリセット処理が実行されることとなっているが、排紙センサ１４３がオンからオフになったら必ず排紙原稿枚数Ｎがリセットされる形態であっても良い。このように構成することで、例えば読取処理の途中で排紙トレイ１２３から原稿が取り除かれたとしても、正確に排紙トレイ１２３上の原稿をカウントすることが可能である。
【００８７】
＜電源オン処理の処理方法（図６参照）＞
図６は第一実施形態に係る電源オン処理を示したフローチャートである。
【００８８】
図６に示す搬送読取処理は、読取装置１００の電源がオンされることで実施される処理である。当該処理が開始されると、制御部３１０にて、まずＳ３０により排紙センサ１４３がオンであるか否か（排紙トレイ１２３上に原稿が載置されているか否か）が判断される。ここで、排紙センサ１４３がオンである場合（排紙トレイ１２３上に原稿が載置されている場合）（Ｓ３０：Ｙ）、読取装置１００の電源がオンされる以前に当該読取装置１００を使用した使用者が原稿を取り除き忘れた可能性が高いと判断する。
【００８９】
よって、Ｓ３１にて表示部２０１に排紙トレイ１２３の排紙原稿を取り除く旨を表示し、排紙センサ１４３がオフするまで（原稿が取り除かれるまで）Ｓ３０とＳ３１の処理が繰り返される。
【００９０】
一方、Ｓ３０にて排紙センサ１４３がオフである場合（排紙トレイ１２３上に原稿が載置されていない場合）（Ｓ１１：Ｎ）、当該電源オン処理は終了する。
【００９１】
＜時系列的な処理方法（図７参照）＞
図７は、上記処理における表示２０１の表示処理を時系列に沿って示したタイミングチャートである。尚、図７の図面横方向は時間軸であり、右方向に時間が経過していることを示す。
【００９２】
図７（１）は、図５の搬送読取処理におけるＳ１１からＳ１２の処理を示している。図７（１）では、搬送読取が指示された後、給紙センサ１４５がオンし読取処理が実行されていないにもかかわらず、排紙センサ１４３がオフからオンに変化している。この排紙センサ１４３の変化は読取処理によるものではないため、使用者が間違えて排紙トレイ１２３に原稿を載置したとみなす。よってその場合は、図５のＳ１２にて実行されるように、原稿を置き間違えたことを示す旨を表示部２０１に表示する。尚、排紙センサ１４３がオンからオフに変化すると表示部２０１の表示は終了する。
【００９３】
図７（２）は、図５の搬送読取処理におけるＳ１４からＳ２３における処理を示している。図７（２）では、読取処理が実行され、Ｂで示した所で排紙トレイ１２３の載置原稿の枚数限界に達したとする。この場合図５のＳ１８で示すように、枚数限界に達した段階で排紙トレイ１２３上の原稿が限界である旨を表示部２０１に表示する。
【００９４】
その後、排紙トレイ１２３上の原稿が取り除かれ、給紙トレイ１２１に原稿がまだ残っている場合（図５におけるＳ２０：Ｙ）、原稿の読み取りが再開される。読み取りが終了すると、図５のＳ２２の処理にて処理が規定時間待機され、その間に排紙トレイ１２３から原稿が取り除かれると（図５におけるＳ２３：Ｎ）、搬送読取処理が終了する。尚、排紙センサ１４３がオンからオフに変化すると表示部２０１の表示は終了する。
【００９５】
図７（３）は、図５の搬送読取処理におけるＳ１４からＳ１７及びＳ２１からＳ２２の処理を示している。図７（３）では、読取処理が実行され終了した後であっても排紙トレイ１２３上の原稿が載置原稿の枚数限界に達しないとする。この場合読取処理が終了した後、図５のＳ２２の処理にて処理が規定時間待機され、その後図５のＳ２３において排紙トレイ１２３上の原稿を取り除く旨を表示部２０１に表示する。
【００９６】
また、図５のＳ２４とＳ２５の処理にて再度読み取りの指示がなされると、表示部２０１の表示は一旦終了する。さらに、排紙センサ１４３がオンからオフに変化すると表示部２０１の表示は終了する。
【００９７】
図７（４）は、図６の電源オン処理を示している。図７（４）では、読取装置１００の電源がオンした際に既に排紙センサ１４３がオンしている状態である。この場合、図６のＳ３１にて排紙トレイ１２３上の原稿を取り除く旨を表示部２０１に表示する。
【００９８】
［第二実施形態］
次に、第二実施形態を説明する。尚、第二実施形態は第一実施形態と、読取装置の概略構成、搬送機構の構成、読取装置の内部構成、電源オン処理の処理方法は共通であるため、説明を省略する。
【００９９】
一方、搬送読取処理の処理方法は処理が若干異なるため、異なる部分のみ説明する。尚、図８は第二実施形態に係る搬送読取処理を示したフローチャートである。
【０１００】
＜搬送読取処理の処理方法＞
本実施形態では、搬送読取の指示がＳ４０とＳ４１又はＳ４２による処理にて実施される。
【０１０１】
具体的には、まずＳ４０にて使用者にキーボタン２０２が操作され、読取モードが指定されたか否かが判断される。読取モードとは、ＦＡＸ送信や、コピー等、読取装置１００の搬送機構１２０にて原稿の読取が実行されるモードのことである。
【０１０２】
当該読取モードが指定されない場合（Ｓ４０：Ｎ）、当該搬送読取処理は終了し、指定されたモードによる別の処理が実行される。
【０１０３】
一方、読取モードが指定されると（Ｓ４０：Ｙ）、Ｓ１１にて第一実施形態と同様に、排紙センサ１４３がオンしているか否かが判断され、排紙センサ１４３がオフである場合（Ｓ１１：Ｎ）、Ｓ４１にて使用者のキーボタン２０２の操作により読取処理がスタートの指定されるまで処理が待機する（Ｓ４１：Ｎ）。
【０１０４】
ここで読取処理のスタートの指定がされると（Ｓ４１：Ｙ）、Ｓ１３からＳ２６にて第一実施形態と同様の処理が実行される。
【０１０５】
また、Ｓ４２の処理は、Ｓ４０とＳ４１の処理のどちらもが指定されたか否かを判断する処理であり、本実施形態ではどちらも指定された場合（Ｓ４２：Ｙ）、Ｓ２５の処理が実行される構成となっている。
【０１０６】
＜他の実施形態＞
（１）上記実施形態では、図５及び図８で示したＳ１２の処理が、Ｓ１０又はＳ４０にて実行される処理の後に実行される。即ち、使用者が読取処理を実行するために何らかの処理を実行した後に排紙トレイ１２３上に原稿がある場合、原稿の置き間違いを示す旨を表示部２０１に表示する。
【０１０７】
しかしながら、本発明における原稿の載置場所が間違っている旨を表示するタイミングは上記のタイミングに限定されなく、搬送装置１２０に搬送されずに原稿が排紙トレイ１２３に載置された（排紙センサ１４３が検知した）タイミングにて表示しても良い。
【０１０８】
（２）上記実施形態では、図５及び図８で示したＳ２１にて給紙センサ１４５にて原稿が検知されないと（Ｓ２１：Ｎ）、Ｓ２２にて規定時間処理が待機する。しかしながら、Ｓ２２の処理はなくても良く、Ｓ２１の処理後にすぐＳ２３の処理が実行されても良い。このように構成すると、Ｓ２４による表示処理が待機時間なしに表示されるため、使用者は排紙トレイ１２３上に原稿が存在することをすぐに認識可能である。
【０１０９】
（３）上記実施形態では、表示部２０１が本発明の報知部として機能しているが、例えば使用者へ音によって報知するためのブザーや、発光パターンによって報知するＬＥＤ等を報知部として機能させても良い。尚、本発明の報知部による原稿の載置場所が違っている旨や原稿の除去が必要である旨の報知は、ブザーの鳴り方やＬＥＤの発光パターンがどのような形態であっても良い。
【０１１０】
（４）上記実施形態では、給紙トレイ１２１が下側、排紙トレイ１２３が上側に配置されている読取装置１００に本発明を適用した例を説明したが、本発明は上記形態の読取装置１００だけでなく、例えば、給紙トレイが上側、排紙トレイが下側に配置されている読取装置や、給紙トレイと排紙トレイが直線状に並んでいる所謂ストレートパスにも適用可能である。
【０１１１】
（５）上記実施形態では、本発明を読取装置１００に適用した例を説明したが、本発明は複写機、複合機、ファクシミリ装置等他の機器にも適用可能である。
【図面の簡単な説明】
【０１１２】
【図１】読取装置１００を上面側から見た外観斜視図である。
【図２】図１のＡ−Ａ断面（特に、搬送機構１２０部分の断面）を示す図である。
【図３】排紙ローラ１３７及び突起部１４１周辺の拡大図である。
【図４】読取装置１００の内部構成をブロック図として示した図である。
【図５】第一実施形態に係る搬送読取処理を示したフローチャートである。
【図６】第一実施形態に係る電源オン処理を示したフローチャートである。
【図７】表示２０１の表示処理を時系列に沿って示したタイミングチャートである
【図８】第二実施形態に係る搬送読取処理を示したフローチャートである。
【符号の説明】
【０１１３】
１００  読取装置
１０５  画像撮像素子
１２０  搬送機構
１２１  給紙トレイ
１２３  排紙トレイ
１４３  排紙センサ
１４５  給紙センサ
１４７  カウントセンサ
２０１  表示部
２０２  キーボタン
３０１  ＣＰＵ
３１０  制御部
【図１】
2010103597.tif 000003
【図２】
2010103597.tif 000004
【図３】
2010103597.tif 000005
【図４】
2010103597.tif 000006
【図５】
2010103597.tif 000007
【図６】
2010103597.tif 000008
【図７】
2010103597.tif 000009
【図８】
2010103597.tif 000010